(57)【要約】  本発明は、バックライトモジュール、表示装置、表示装置の駆動方法、電子デバイスおよびコンピュータ可読記憶媒体を開示する。当該バックライトモジュールは、基板と、基板の一方側に位置し、それぞれ第１の発光領域、第２の発光領域および第３の発光領域を含む複数の発光モジュールと、発光モジュールの基板から離れる一方側に位置する出光層であって、第１の発光領域、第２の発光領域および第３の発光領域の基板における垂直投影と第１の出光領域、第２の出光領域および第３の出光領域の基板における垂直投影とがそれぞれ重畳領域を有する出光層と、少なくとも１つの発光モジュールに接続された複数のバックライト駆動モジュールと、を含む。【選択図】図１
2021516430.tif 000002
【特許請求の範囲】
【請求項１】
バックライトモジュールであって、
基板と、
前記基板の一方側に位置し、前記バックライトモジュールの異なる領域に設けられ、それぞれ第１の発光領域、第２の発光領域および第３の発光領域を含む複数の発光モジュールと、
前記発光モジュールの前記基板から離れる一方側に位置し、第１の出光領域、第２の出光領域および第３の出光領域を含む出光層であって、前記第１の発光領域の前記基板における垂直投影と前記第１の出光領域の前記基板における垂直投影とが重畳領域を有し、前記第２の発光領域の前記基板における垂直投影と前記第２の出光領域の前記基板における垂直投影とが重畳領域を有し、前記第３の発光領域の前記基板における垂直投影と前記第３の出光領域の前記基板における垂直投影とが重畳領域を有する出光層と、
それぞれ少なくとも１つの前記発光モジュールに接続されるとともに、前記バックライトモジュールの異なる領域に位置する前記発光モジュールを駆動することにより、駆動された前記発光モジュールにおける前記第１の発光領域、前記第２の発光領域および前記第３の発光領域における発光強度をそれぞれ制御するように構成される複数のバックライト駆動モジュールと、を含むバックライトモジュール。
【請求項２】
前記第１の出光領域の材料は、ＫＳＦ蛍光体、量子ドット、ペロブスカイト蛍光体、ケイ酸塩蛍光体、アルミン酸塩蛍光体、窒化物蛍光体およびセロン蛍光体のうちの少なくとも１つを含み、
前記第２の出光領域の材料は、量子ドット、ペロブスカイト蛍光体、ケイ酸塩蛍光体、アルミン酸塩蛍光体、窒化物蛍光体およびセロン蛍光体のうちの少なくとも１つを含み、
前記第３の出光領域の材料は、量子ドット、ペロブスカイト蛍光体、ケイ酸塩蛍光体、アルミン酸塩蛍光体、窒化物蛍光体およびセロン蛍光体のうちの少なくとも１つを含む、請求項１に記載のバックライトモジュール。
【請求項３】
前記出光層は、量子ドット層であり、前記第１の出光領域は、第１の量子ドット領域であり、前記第２の出光領域は、第２の量子ドット領域であり、前記第３の出光領域は、第３の量子ドット領域である、請求項１に記載のバックライトモジュール。
【請求項４】
前記量子ドット層は、下層と、前記下層に塗布された量子ドットとを含み、
前記量子ドットが前記第１の量子ドット領域内の前記下層に塗布された赤色光量子ドットおよび前記第２の量子ドット領域内の前記下層に塗布された緑色光量子ドットを含み、或いは、前記量子ドットが前記第１の量子ドット領域内の前記下層に塗布された赤色光量子ドット、前記第２の量子ドット領域内の前記下層に塗布された緑色光量子ドットおよび前記第３の量子ドット領域内の前記下層に塗布された青色光量子ドットを含み、
前記下層は、透明層である、請求項３に記載のバックライトモジュール。
【請求項５】
各前記第１の発光領域、各前記第２の発光領域および各前記第３の発光領域は、いずれも少なくとも１つの青色光発光ダイオードを含み、
前記第１の量子ドット領域内の前記下層に前記赤色光量子ドットが塗布され、前記第２の量子ドット領域内の前記下層に前記緑色光量子ドットが塗布されているが、前記第３の量子ドット領域内の前記下層に量子ドットが塗布されていない、請求項４に記載のバックライトモジュール。
【請求項６】
各前記第１の発光領域、各前記第２の発光領域および各前記第３の発光領域は、いずれも少なくとも１つの紫色光発光ダイオードを含み、
前記第１の量子ドット領域内の前記下層に前記赤色光量子ドットが塗布され、前記第２の量子ドット領域内の前記下層に前記緑色光量子ドットが塗布され、前記第３の量子ドット領域内の前記下層に前記青色光量子ドットが塗布されている、請求項４に記載のバックライトモジュール。
【請求項７】
各前記第１の発光領域、各前記第２の発光領域および各前記第３の発光領域は、いずれも少なくとも１つの紫外線発光ダイオードを含み、
前記第１の量子ドット領域内の前記下層に前記赤色光量子ドットが塗布され、前記第２の量子ドット領域内の前記下層に前記緑色光量子ドットが塗布され、前記第３の量子ドット領域内の前記下層に前記青色光量子ドットが塗布されている、請求項４に記載のバックライトモジュール。
【請求項８】
前記第１の量子ドット領域、前記第２の量子ドット領域および前記第３の量子ドット領域は、形状およびサイズがそれぞれ同じである、請求項３に記載のバックライトモジュール。
【請求項９】
前記量子ドット層は、複数のマトリックスで排列された前記第１の量子ドット領域、前記第２の量子ドット領域および前記第３の量子ドット領域を含み、
行方向に沿って、前記第１の量子ドット領域、前記第２の量子ドット領域および前記第３の量子ドット領域が交互排列され、
列方向に沿って、複数の前記第１の量子ドット領域が順に排列されて第１の量子ドット領域列を形成し、複数の前記第２の量子ドット領域が順に排列されて第２の量子ドット領域列を形成し、複数の前記第３の量子ドット領域が順に排列されて第３の量子ドット領域列を形成する、請求項８に記載のバックライトモジュール。
【請求項１０】
前記量子ドット層は、複数のマトリックスで排列された前記第１の量子ドット領域、前記第２の量子ドット領域および前記第３の量子ドット領域を含み、
前記量子ドット層が奇数行の量子ドット領域および偶数行の量子ドット領域を含み、
前記奇数行の量子ドット領域が、順に交互排列された前記第１の量子ドット領域、前記第３の量子ドット領域および前記第２の量子ドット領域を含み、
前記偶数行の量子ドット領域が、順に交互排列された前記第２の量子ドット領域、前記第１の量子ドット領域および前記第３の量子ドット領域を含み、
行方向に沿って、隣り合う前記奇数行の量子ドット領域と前記偶数行の量子ドット領域とが、所定距離をずらしている、請求項８に記載のバックライトモジュール。
【請求項１１】
前記奇数行の量子ドット領域が複数設けられ、前記偶数行の量子ドット領域が複数設けられ、
列方向に沿って、複数の前記奇数行の量子ドット領域が互いに揃えられ、複数の前記偶数行の量子ドット領域が互いに揃えられる、請求項１０に記載のバックライトモジュール。
【請求項１２】
前記量子ドット層は、複数のマトリックスで排列された前記第１の量子ドット領域、前記第２の量子ドット領域および前記第３の量子ドット領域を含み、
行方向に沿って、前記第２の量子ドット領域、前記第３の量子ドット領域および前記第１の量子ドット領域が順に交互排列され、
列方向に沿って、前記第２の量子ドット領域、前記第１の量子ドット領域および前記第３の量子ドット領域が順に交互排列されている、請求項８に記載のバックライトモジュール。
【請求項１３】
前記第１の出光領域から射出した光が赤色光であり、前記第２の出光領域から射出した光が緑色光であり、前記第３の出光領域から射出した光が青色光である、請求項８に記載のバックライトモジュール。
【請求項１４】
請求項１〜１３のいずれか一項に記載のバックライトモジュールを含む表示装置であって、
前記表示装置は、液晶表示パネルをさらに含み、
前記液晶表示パネルは、前記バックライトモジュールの出光層の一方側に位置し、
前記液晶表示パネルは、バックライト駆動モジュールとともに同様な画像情報を受信するように構成される表示駆動モジュールをさらに含む、表示装置。
【請求項１５】
請求項１４に記載の表示装置を駆動するための表示装置の駆動方法であって、
前記方法は、
バックライト駆動モジュールと表示駆動モジュールを制御しながら、予め表示された画像の画像情報を取得し、前記画像情報は、前記予め表示された画像の輝度情報および色情報を含むことと、
前記輝度情報に基づいてバックライトモジュールの異なる領域における輝度を制御するとともに、前記色情報に基づいて前記バックライトモジュールの異なる領域におけるバックライト顔色を調整するように、バックライト駆動モジュールを制御することと、
前記画像情報に基づいて液晶表示パネルを駆動して画像を表示させるように、表示駆動モジュールを制御することと、を含む、表示装置の駆動方法。
【請求項１６】
少なくとも１つのプロセッサと、
少なくとも１つのプログラムを記憶するように構成されるメモリーと、を含む電子デバイスであって、
前記少なくとも１つのプログラムが前記少なくとも１つのプロセッサにより実行されると、前記少なくとも１つのプロセッサが請求項１５に記載の方法を実現する、電子デバイス。
【請求項１７】
請求項１５に記載の方法を実行するためのコンピュータ実行可能コマンドが記憶されたコンピュータ可読記憶媒体。
【発明の詳細な説明】
【技術分野】
【０００１】
本発明は、２０１９年２月１１日に中国特許庁へ提出された（出願番号２０１９１０１０９９８７．３）の中国特許出願に対して優先権の利益を主張するものであり、当該出願の内容のすべてが参照として本発明に援用される。
【０００２】
本発明は、液晶表示パネルの技術分野に関し、例えば、バックライトモジュール、表示装置、表示装置の駆動方法、電子デバイスおよびコンピュータ可読記憶媒体に関する。
【背景技術】
【０００３】
従来の液晶表示装置は、通常、液晶表示パネルおよびバックライトモジュールを含む。バックライトモジュールは、バックライト光源（例えば、ＬＥＤランプ）の位置によれば、エッジ型バックライトと直下型バックライトという２種の構造に分けられてもよい。エッジ型バックライトは、一般的にバックライト光源、導光板および拡散板などを用いて光を射出するものであり、直下式バックライトモジュールのバックライトは、一般的に、バックライトモジュールの出光面においてバックライト光源がマトリックスで排列されてなるものである。
【０００４】
ローカル調光技術（Ｌｏｃａｌ  Ｄｉｍｍｉｎｇ、ＬＤ）とは、バックライト光源の局部の出光量を制御することにより、バックライト光源の強度を現在表示されている画面の輝度と合致させる。例示的には、表示画面の輝度が大きいと、バックライト光源の出光量を適当に向上してバックライトの強度を向上させることができ、表示画面の輝度が小さいと、バックライト光源の出光量を適当に低減してバックライトの強度を低減させることができる。
【０００５】
従来技術において、良好なバックライト効果を取得するために、通常、ローカル調光技術を用いて直下式バックライトモジュールの局部の領域における輝度を調整することで、表示画面の輝度に基づいてバックライトモジュールの局部の領域における輝度をリアルタイム調整し、さらにコントラストがより良好な表示画面を得ることができる。これから分かるように、ローカル調光技術の使用により、バックライト光源の出光量を調整することができる。
【発明の概要】
【発明が解決しようとする課題】
【０００６】
本発明は、バックライトモジュールの明暗程度およびバックライト顔色の調整を実現することができるバックライトモジュール、表示装置、表示装置の駆動方法、電子デバイスおよびコンピュータ可読記憶媒体を提供する。
【０００７】
本発明の実施例によれば、バックライトモジュールであって、
基板と、
前記基板の一方側に位置し、前記バックライトモジュールの異なる領域に設けられ、それぞれ第１の発光領域、第２の発光領域および第３の発光領域を含む複数の発光モジュールと、
前記発光モジュールの前記基板から離れる一方側に位置し、第１の出光領域、第２の出光領域および第３の出光領域を含む出光層であって、前記第１の発光領域の前記基板における垂直投影と前記第１の出光領域の前記基板における垂直投影とが重畳領域を有し、前記第２の発光領域の前記基板における垂直投影と前記第２の出光領域の前記基板における垂直投影とが重畳領域を有し、前記第３の発光領域の前記基板における垂直投影と前記第３の出光領域の前記基板における垂直投影とが重畳領域を有する出光層と、
それぞれ少なくとも１つの前記発光モジュールに接続されるとともに、前記バックライトモジュールの異なる領域に位置する前記発光モジュールを駆動することにより、駆動された前記発光モジュールにおける前記第１の発光領域、前記第２の発光領域および前記第３の発光領域における発光強度をそれぞれ制御するように構成される複数のバックライト駆動モジュールと、を含むバックライトが提供される。
【０００８】
本発明の実施例によれば、前記バックライトモジュールを含む表示装置であって、
前記表示装置は、液晶表示パネルをさらに含み、
前記液晶表示パネルは、前記バックライトモジュールの出光層の一方側に位置し、
前記液晶表示パネルは、バックライト駆動モジュールとともに同様な画像情報を受信するように構成される表示駆動モジュールをさらに含む、表示装置が提供される。
【０００９】
本発明の実施例によれば、前記表示装置を駆動するための表示装置の駆動方法であって、
前記方法は、
バックライト駆動モジュールと表示駆動モジュールを制御しながら、予め表示された画像の画像情報を取得し、そのうち、前記画像情報は、前記予め表示された画像の輝度情報および色情報を含むことと、
前記輝度情報に基づいてバックライトモジュールの異なる領域における輝度を制御するとともに、前記色情報に基づいて前記バックライトモジュールの異なる領域におけるバックライト顔色を調整するように、バックライト駆動モジュールを制御することと、
前記画像情報に基づいて液晶表示パネルを駆動して画像を表示させるように、表示駆動モジュールを制御することと、を含む、表示装置の駆動方法がさらに提供される。
【００１０】
本発明の実施例によれば、少なくとも１つのプロセッサと、
少なくとも１つのプログラムを記憶するように構成されるメモリーと、を含む電子デバイスであって、
前記少なくとも１つのプログラムが前記少なくとも１つのプロセッサにより実行されると、前記少なくとも１つのプロセッサは、上述した方法を実現する、電子デバイスがさらに提供される。
【００１１】
本発明の実施例によれば、上述した方法を実行するためのコンピュータ実行可能コマンドが記憶されたコンピュータ可読記憶媒体がさらに提供される。
【図面の簡単な説明】
【００１２】
【図１】本発明の実施例に係るバックライトモジュールの構造模式図である。
【図２】本発明の実施例に係る量子ドット層の構造模式図である。
【図３】本発明の実施例に係る他の量子ドット層の構造模式図である。
【図４】本発明の実施例に係る他のバックライトモジュールの構造模式図である。
【図５】本発明の実施例に係る別のバックライトモジュールの構造模式図である。
【図６】本発明の実施例に係る量子ドット領域の排列模式図である。
【図７】図６における量子ドット領域に対応する発光ダイオードの構造模式図である。
【図８】本発明の実施例に係る他の量子ドット領域の排列模式図である。
【図９】図８における量子ドット領域に対応する発光ダイオードの構造模式図である。
【図１０】本発明の実施例に係る別の量子ドット領域の排列模式図である。
【図１１】本発明の実施例に係る表示装置の構造模式図である。
【図１２】本発明の実施例に係る表示装置の駆動方法のフローチャートである。
【図１３】本発明の実施例に係る電子デバイスの構造模式図である。
【発明を実施するための形態】
【００１３】
ローカル調光技術において、バックライト光源は、通常、従来の青色光ＬＥＤと黄色蛍光体との組み合わせを用いたので、バックライト光源の出光量しか調整することができない。しかしながら、バックライト光源の出光量に拘らず、バックライトスペクトルにおける赤色、緑色、青色という３種の光の割合が一定である。そのため、バックライト光源は、白色光バックライトしか提供することができない。
【００１４】
本発明は、バックライトモジュールであって、
基板と、
前記基板の一方側に位置し、前記バックライトモジュールの異なる領域に設けられ、それぞれ第１の発光領域、第２の発光領域および第３の発光領域を含む複数の発光モジュールと、
前記発光モジュールの前記基板から離れる一方側に位置し、第１の出光領域、第２の出光領域および第３の出光領域を含む出光層であって、前記第１の発光領域の前記基板における垂直投影と前記第１の出光領域の前記基板における垂直投影とが重畳領域を有し、前記第２の発光領域の前記基板における垂直投影と前記第２の出光領域の前記基板における垂直投影とが重畳領域を有し、前記第３の発光領域の前記基板における垂直投影と前記第３の出光領域の前記基板における垂直投影とが重畳領域を有する出光層と、
それぞれ少なくとも１つの前記発光モジュールに接続されるとともに、前記バックライトモジュールの異なる領域に位置する前記発光モジュールを駆動することにより、駆動された前記発光モジュールにおける前記第１の発光領域、前記第２の発光領域および前記第３の発光領域における発光強度をそれぞれ制御するように構成される複数のバックライト駆動モジュールと、を含むバックライトモジュールを提供する。
【００１５】
一実施例において、前記第１の出光領域の材料は、ＫＳＦ蛍光体、量子ドット、ペロブスカイト蛍光体、ケイ酸塩蛍光体、アルミン酸塩蛍光体、窒化物蛍光体およびセロン蛍光体のうちの少なくとも１つを含み、
前記第２の出光領域の材料は、量子ドット、ペロブスカイト蛍光体、ケイ酸塩蛍光体、アルミン酸塩蛍光体、窒化物蛍光体およびセロン蛍光体のうちの少なくとも１つを含み、
前記第３の出光領域の材料は、量子ドット、ペロブスカイト蛍光体、ケイ酸塩蛍光体、アルミン酸塩蛍光体、窒化物蛍光体およびセロン蛍光体のうちの少なくとも１つを含む。
【００１６】
一実施例において、前記出光層は、量子ドット層であり、前記第１の出光領域は、第１の量子ドット領域であり、前記第２の出光領域は、第２の量子ドット領域であり、前記第３の出光領域は、第３の量子ドット領域である。
【００１７】
一実施例において、
前記量子ドット層は、下層（ｕｎｄｅｒｌａｙｅｒ）と、前記下層に塗布された量子ドットとを含み、
前記量子ドットが前記第１の量子ドット領域内に塗布された赤色光量子ドットおよび前記第２の量子ドット領域内に塗布された緑色光量子ドットを含み、或いは、前記量子ドットが前記第１の量子ドット領域内に塗布された赤色光量子ドット、前記第２の量子ドット領域内に塗布された緑色光量子ドットおよび前記第３の量子ドット領域内に塗布された青色光量子ドットを含み、
前記下層は、透明層である。
【００１８】
一実施例において、各前記第１の発光領域、各前記第２の発光領域および各前記第３の発光領域は、いずれも少なくとも１つの青色光発光ダイオードを含み、
前記第１の量子ドット領域内の前記下層に前記赤色光量子ドットが塗布され、前記第２の量子ドット領域内の前記下層に前記緑色光量子ドットが塗布されているが、前記第３の量子ドット領域内の前記下層に量子ドットが塗布されていない。
【００１９】
一実施例において、各前記第１の発光領域、各前記第２の発光領域および各前記第３の発光領域は、いずれも少なくとも１つの紫色光発光ダイオードを含み、
前記第１の量子ドット領域内の前記下層に前記赤色光量子ドットが塗布され、前記第２の量子ドット領域内の前記下層に前記緑色光量子ドットが塗布され、前記第３の量子ドット領域内の前記下層に前記青色光量子ドットが塗布されている。
【００２０】
一実施例において、各前記第１の発光領域、各前記第２の発光領域および各前記第３の発光領域は、いずれも少なくとも１つの紫外線発光ダイオードを含み、
前記第１の量子ドット領域内の前記下層に前記赤色光量子ドットが塗布され、前記第２の量子ドット領域内の前記下層に前記緑色光量子ドットが塗布され、前記第３の量子ドット領域内の前記下層に前記青色光量子ドットが塗布されている。
【００２１】
一実施例において、前記第１の量子ドット領域、前記第２の量子ドット領域および前記第３の量子ドット領域は、形状およびサイズがそれぞれ同じである。
【００２２】
一実施例において、前記量子ドット層は、複数のマトリックスで排列された前記第１の量子ドット領域、前記第２の量子ドット領域および前記第３の量子ドット領域を含み、
行方向に沿って、前記第１の量子ドット領域、前記第２の量子ドット領域および前記第３の量子ドット領域が交互排列され、
列方向に沿って、複数の前記第１の量子ドット領域が順に排列されて第１の量子ドット領域列を形成し、複数の前記第２の量子ドット領域が順に排列されて第２の量子ドット領域列を形成し、複数の前記第３の量子ドット領域が順に排列されて第３の量子ドット領域列を形成する。
【００２３】
一実施例において、
前記量子ドット層は、複数のマトリックスで排列された前記第１の量子ドット領域、前記第２の量子ドット領域および前記第３の量子ドット領域を含み、
前記量子ドット層は、奇数行の量子ドット領域および偶数行の量子ドット領域を含み、
前記奇数行の量子ドット領域が、順に交互排列された前記第１の量子ドット領域、前記第３の量子ドット領域および前記第２の量子ドット領域を含み、
前記偶数行の量子ドット領域が、順に交互排列された前記第２の量子ドット領域、前記第１の量子ドット領域および前記第３の量子ドット領域を含み、
行方向に沿って、隣り合う前記奇数行の量子ドット領域と前記偶数行の量子ドット領域とが、所定距離をずらしている。
【００２４】
一実施例において、前記奇数行の量子ドット領域が複数設けられ、前記偶数行の量子ドット領域が複数設けられ、
列方向に沿って、複数の前記奇数行の量子ドット領域が互いに揃えられ、複数の前記偶数行の量子ドット領域が互いに揃えられる。
【００２５】
一実施例において、前記量子ドット層は、複数のマトリックスで排列された前記第１の量子ドット領域、前記第２の量子ドット領域および前記第３の量子ドット領域を含み、
行方向に沿って、前記第２の量子ドット領域、前記第３の量子ドット領域および前記第１の量子ドット領域が順に交互排列され、
列方向に沿って、前記第２の量子ドット領域、前記第１の量子ドット領域および前記第３の量子ドット領域が順に交互排列されている。
【００２６】
一実施例において、前記第１の出光領域から射出した光が赤色光であり、前記第２の出光領域から射出した光が緑色光であり、前記第３の出光領域から射出した光が青色光である。
【００２７】
図１は、本発明の実施例に係るバックライトモジュールの構造模式図である。図１に示すように、当該バックライトモジュールは、基板１０１と、基板１０１の一方側に位置し、それぞれ第１の発光領域１１２、第２の発光領域１２２および第３の発光領域１３２を含む複数の発光モジュール１０２と、発光モジュール１０２の基板１０１から離れる一方側に位置し、第１の出光域２１３、第２の出光領域２２３および第３の出光領域２３３を含む出光層２０３であって、第１の発光領域１１２の基板１０１における垂直投影と第１の出光領域２１３の基板１０１における垂直投影とが重畳領域を有し、第２の発光領域１２２の基板１０１における垂直投影と第２の出光領域２２３の基板１０１における垂直投影とが重畳領域を有し、第３の発光領域１３２の基板１０１における垂直投影と第３の出光領域２３３の基板１０１における垂直投影とが重畳領域を有し、第１の出光領域２１３から射出した光が赤色光であり、第２の出光領域２２３から射出した光が緑色光であり、第３の出光領域２３３から射出した光が青色光である出光層２０３と、それぞれ少なくとも１つの発光モジュール１０２に接続された複数のバックライト駆動モジュール１０４と、を含む。
【００２８】
ある実施例において、第１の発光領域１１２から射出した光は、第１の出光領域２１３を透過して赤色光を射出することができ、第２の発光領域１２２から射出した光は、第２の出光領域２２３を透過して緑色光を射出することができ、第３の発光領域１３２から射出した光は、第３の出光領域２３３を透過して青色光を射出することができる。赤色光、緑色光および青色光の相互の組み合わせを調整することにより、白色または他の任意の顔色のバックライトを形成することができる。且つ、出光層２０３から射出した光は、その強度が第１の発光領域１１２、第２の発光領域１２２および第３の発光領域１３２における発光強度により決定される。バックライト駆動モジュール１０４を用いて第１の発光領域１１２、第２の発光領域１２２および第３の発光領域１３２におけるパワーを調整することにより、第１の発光領域１１２、第２の発光領域１２２および第３の発光領域１３２から射出した光の強度を制御することができ、さらに、出光層２０３は異なる輝度のバックライトを射出することができることで、バックライトの明暗程度の調整が実現される。そのため、本実施例に係るバックライトモジュールは、バックライトの顔色を調整するだけでなく、バックライト全体または局部の明暗程度を調整することができる。
【００２９】
なお、ある実施例において、各発光モジュール１０２における第１の発光領域１１２、第２の発光領域１２２および第３の発光領域１３２は、それぞれ同一のバックライト駆動モジュール１０４により、各々のパワーが調整されてもよい。
【００３０】
バックライトモジュールは、通常、表示装置に用いられ、画像の表示に対してバックライトを提供する。そのため、本実施例は、表示装置に適用されたバックライトモジュールを例として、バックライトモジュールの動作原理について解釈する。各バックライト駆動モジュール１０４が少なくとも１つの発光モジュール１０２に接続され、複数の発光モジュール１０２がそれぞれバックライトモジュールの異なる領域に位置するため、異なるバックライト駆動モジュール１０４は、異なる領域に位置する発光モジュール１０２を駆動することができる。バックライト駆動モジュール１０４を用いることにより、所定の割合に応じて第１の発光領域１１２、第２の発光領域１２２および第３の発光領域１３２における発光強度を同時に調整して、白色光バックライトの輝度を調整することができる。例示的には、表示装置により表示された画像全体または局部の輝度が小さいと、バックライト駆動モジュール１０４を用いることにより、画像の輝度が小さい領域に対応する発光モジュール１０２の発光輝度を低減させることができる。白色バックライトを確保した場合、白色バックライトの輝度を調整して、白色バックライトの強度を画像の輝度に適応させることで、白色バックライトの効果を向上させる。必要とするバックライトの輝度が低いと、発光モジュール１０２の発光輝度を低減することにより、発光モジュール１０２の消費電力を低減させ、電気エネルギーを節約することができる。同様に、表示装置における画像の輝度が大きいと、発光モジュール１０２の発光輝度を向上することにより、白色バックライトの輝度を向上させる。そのため、ここで繰り返し説明しない。
【００３１】
赤色光、緑色光および青色光のうちのある顔色の光の強度を低減／向上することにより、赤色光、緑色光および青色光が混合した後に形成した光の顔色を制御することができる。そのため、第１の発光領域１１２、第２の発光領域１２２および第３の発光領域１３２の一部の発光領域における発光強度をそのまま維持した場合、他の発光領域における発光強度を合理的に低減することにより、任意の顔色のバックライトを得ることができる。この過程において、発光強度が変更しない発光領域におけるパワーが変更せず、発光輝度が低減した発光領域におけるパワーが低減するため、任意の顔色のバックライトを得ながら、発光モジュール１０２の消費電力を低減させ、電気エネルギーを節約することができる。例示的には、バックライトモジュールにより緑色バックライトを提供する必要がある場合、バックライト駆動モジュール１０４は、第２の発光領域１２２における発光強度をそのまま維持しながら、第１の発光領域１１２および第３の発光領域１３２における発光輝度を適当に低減することができる。第２の発光領域１２２における発光強度が変更せず、第２の出光領域２２３から射出した緑色光の強度が変更せず、第１の発光領域１１２および第３の発光領域１３２における発光輝度が低減し、第１の出光領域２１３から射出した赤色光の強度が低減し、第３の出光領域２３３から射出した青色光の強度も低減するため、出光層２０３から射出した赤色光、緑色光および青色光が混合した後、緑色バックライトを形成することができる。それと同時に、第２の発光領域１２２におけるパワーが変更せず、第１の発光領域１１２および第３の発光領域１３２におけるパワーが低減し、発光モジュール１０２の総合消費電力が低減する。例えば、赤色光と緑色光とを混合させることによって黄色光を得ることができ、バックライトモジュールにより黄色バックライトを提供する必要がある場合、バックライト駆動モジュール１０４は、第１の発光領域１１２および第２の発光領域１２２における発光強度をそのまま維持する場合、第３の発光領域１３２における発光強度を低減し、青色光の出力を低減することによって黄色バックライトを得ることができる。第１の発光領域１１２および第２の発光領域１２２におけるパワーがそのまま維持し、第３の発光領域３２におけるパワーが低減するため、発光モジュール１０２の消費電力を低減させることができる。
【００３２】
また、なお、本実施例に係るバックライトモジュールは、さらにバックライトの顔色およびバックライトの明暗程度を同時に制御することができる。バックライトモジュールにより提供されるバックライトの輝度が低い必要があれば、同時に同じ程度で、第１の発光領域１１２、第２の発光領域１２２および第３の発光領域１３２における発光輝度を同時に低減して、輝度が低い白色バックライトを得ることができる。或いは、それぞれ異なる程度で、第１の発光領域１１２、第２の発光領域１２２および第３の発光領域１３２における発光輝度を低減して、任意の顔色のバックライトを得ることができる。やはり緑色バックライトを例として、画像の緑色が暗ければ、第１の発光領域１１２および第３の発光領域１３２における発光輝度を低減しながら、第２の発光領域１２２における発光輝度を適当に低減させることができる。第２の発光領域１２２における発光輝度の低減程度を、第１の発光領域１１２および第３の発光領域１３２における発光輝度の低減程度よりも小さくさせることにより、比較的暗い緑色バックライトを得ることができる。画像の顔色が明るければ、第１の発光領域１１２および第３の発光領域１３２における発光輝度を低減しながら、第２の発光領域１２２における発光輝度を適当に向上させることができることで、輝度が比較的大きい緑色バックライトを得ることができる。他の顔色のバックライトに対して、類似する原理で調整してもよい。そのため、ここで繰り返し挙げない。
【００３３】
なお、バックライトモジュールは、通常、液晶表示装置に用いられ、表示装置にバックライトを提供する。表示装置は、異なる画面を表示させることができ、異なる画面がバックライトに対する要求も異なる。例えば、表示装置により表示されたある画面が緑色の芝生であり、画面における大面積の領域が緑色である場合、バックライトモジュールを調整することにより、画面における緑色の領域に対して緑色バックライトを提供し、さらに画面の色度を補強させることができる。
【００３４】
本実施例に係るバックライトモジュールは、発光モジュールにおいて第１の発光領域、第２の発光領域および第３の発光領域を設け、第１の発光領域、第２の発光領域および第３の発光領域から射出した光をそれぞれ量子ドット層における第１の出光領域、第２の出光領域および第３の出光領域に透過させ、複数のバックライト駆動モジュールを用いてそれぞれ各第１の発光領域、各第２の発光領域および各第３の発光領域における発光強度を調整することにより、量子ドット層から射出したバックライトの顔色および明暗程度を調整し、バックライトモジュールのバックライト効果を向上させ、バックライトモジュールの消費電力を低減させることができる。
【００３５】
一実施例において、第１の出光領域２１３の材料は、ＫＳＦ蛍光体、量子ドット、ペロブスカイト蛍光体、ケイ酸塩蛍光体、アルミン酸塩蛍光体、窒化物蛍光体およびセロン蛍光体のうちの少なくとも１つを含む。一実施例において、第２の出光領域２２３の材料は、量子ドット、ペロブスカイト蛍光体、ケイ酸塩蛍光体、アルミン酸塩蛍光体、窒化物蛍光体およびセロン蛍光体のうちの少なくとも１つを含む。一実施例において、第３の出光領域２３３の材料は、量子ドット、ペロブスカイト蛍光体、ケイ酸塩蛍光体、アルミン酸塩蛍光体、窒化物蛍光体およびセロン蛍光体のうちの少なくとも１つを含む。
【００３６】
ＫＳＦ赤色蛍光体は、化学式Ｋ２ＳｉＦ６：Ｍｎ４＋の略称であり、中国語で一般的に（四価マンガンイオン含有）フルオロ珪酸カリウムまたはフッ化物蛍光体と呼ばれ、赤色光を射出することができる。且つ、ＫＳＦ赤色蛍光体から射出する赤色光のスペクトルの半波幅が極めて狭いとともに、エネルギーが高く、優れている光変換材料である。ＣｄＳｅ系量子ドットまたはＩｎＰ系量子ドットなどの量子ドットは、発光ピークの半値幅が一般的に３０ｎｍ未満であり、優れている光変換材料である。ペロブスカイト材料は、通常、ハロゲンイオン（Ｉ−、  Ｂｒ−、  Ｃｌ−）の成分を調整することによって発射波長を調整することができる。ペロブスカイトは、発光の半値幅が一般的に２０ｎｍ程度であり、優れている光変換材料である。
【００３７】
上述した幾つかの材料の発光スペクトルの半値幅がいずれも狭いため、狭い半値幅の材料により調製されたバックライトモジュールは、表示装置に適用された際に、表示装置のコントラストを向上させることができる。しかしながら、出光層２０３を形成すると、ケイ酸塩蛍光体またはアルミン酸塩蛍光体などの線幅が比較的広い普通の材料を選択してもよく、このような材料のコストが相対的に低いとともに、性質もより安定しており、良好な経済利益を有することを理解すべきである。また、ここでは、例示的に幾つかの線幅の広い蛍光材料および線幅の狭い蛍光材料しか挙げられていないが、本実施例に係る出光層２０３の蛍光材料は、他のタイプの材料であってもよいことを理解すべきである。また、なお、前記材料のうちの１種を選択して出光層２０３を形成してもよいし、複数種の材料を選択して、複数種の材料を任意に組み合わせる形態で出光層２０３を形成してもよい。赤色光、緑色光および青色光の形成が可能であることを満たす場合、本実施例は、出光層２０３の具体的な材料の選択に対して限定しない。
【００３８】
好ましくは、出光層２０３は、量子ドット層である。第１の出光領域２１３は、第１の量子ドット領域であり、第２の出光領域２２３は、第２の量子ドット領域であり、第３の出光領域２３３は、第３の量子ドット領域である。
【００３９】
量子ドットのスペクトルの半値幅が小さく、一般的に３０ｎｍ以下であり、量子ドットにより励起された光をバックライトとして用いる場合、コントラストがより高いバックライト効果を得ることができる。例示的には、やはり緑色の画面を例として、バックライトモジュールの所在する表示装置が緑色の画像を表示した場合、バックライトモジュールは、緑色バックライトを提供することができる。緑色光量子ドットから射出した緑色光のスペクトルの半値幅が狭く、緑色光における他の成分の光数が比較的少ないため、バックライト効果がより良好な緑色光を得、表示装置のコントラストを向上させることができる。
【００４０】
しかしながら、第１の出光領域２１３、第２の出光領域２２３および第３の出光領域２３３は、それぞれ赤色光、緑色光および青色光を射出することができる場合、本実施例に係るバックライトモジュールは、バックライトモジュールの消費電力を低減させることができることを理解すべきである。そのため、バックライトモジュールの消費電力の低減しか考慮しないと、出光層２０３は、蛍光体層またはペロブスカイト材料などであってもよい。本実施例において、それが具体的に限定されない。
【００４１】
図２は、本発明の実施例に係る量子ドット層の構造模式図であり、図３は、本発明の実施例に係る他の量子ドット層の構造模式図である。好ましくは、図２および図３に示すように、量子ドット層１０３は、下層１４３と、下層１４３に塗布された量子ドットとを含む。図２に示すように、量子ドットは、赤色光量子ドット１１５と緑色光量子ドット１２５とを含み、或いは、図３に示すように、量子ドットは、赤色光量子ドット１１５、緑色光量子ドット１２５および青色光量子ドット１３５を含む。下層１４３は、透明層である。
【００４２】
量子ドットが下層１４３の基板から離れる一方側に設けられ、発光モジュールからの光は、下層１４３を透過して量子ドットに到達することができ、或いは、発光モジュールからの光は、下層１４３を透過した後、直接射出されることができる。赤色光量子ドット１１５は、波長が赤色光よりも小さい光（たとえば、青色光、紫色光または紫外線）を赤色光に変換し、緑色光量子ドット１２５は、波長が緑色光よりも小さい光（たとえば、青色光、紫色光または紫外線）を緑色光に変換し、青色光量子ドット１３５は、波長が青色光よりも小さい光（たとえば、紫色光または紫外線）を青色光に変換することができる。発光モジュールから射出した光が青色光である場合、青色光は、直接赤色光および緑色光と組み合わせて任意の顔色の光を形成することができる。その際に、第３の量子ドット領域１３３において青色光量子ドット１３５が設けられなくてもよい。量子ドットは、下層１４３の基板に近づく一方側に設けられてもよく、本実施例において、それが具体的に限定されないことを理解すべきである。
【００４３】
図４は、本発明の実施例に係る他のバックライトモジュールの構造模式図である。好ましくは、図４に示すように、各第１の発光領域、各第２の発光領域および各第３の発光領域は、いずれも少なくとも１つの青色光発光ダイオード１４２を含み、第１の量子ドット領域１１３内の下層１４３に赤色光量子ドット１１５が塗布され、第２の量子ドット領域１２３内の下層１４３に緑色光量子ドット１２５が塗布されているが、第３の量子ドット領域１３３内の下層１４３に量子ドットが塗布されていない。
【００４４】
本実施例において、発光モジュールから射出した光が青色光である場合、第１の量子ドット領域１１３内の赤色光量子ドット１１５は、赤色光を射出し、第２の量子ドット領域１２３内の緑色光量子ドット１２５は、緑色光を射出することができ、第３の量子ドット領域１３３は、青色光量子ドットが設けられずに青色光を射出することができる。関連する青色光量子ドットの製造プロセスが成熟ではないことを考えると、青色光発光ダイオード１４２を発光モジュール１０２の光源として用いることができる。
【００４５】
なお、本実施例に係るバックライトモジュールの構造を容易に説明するために、発光モジュールは、第１の発光領域、第２の発光領域および第３の発光領域に分けられているが、第１の発光領域、第２の発光領域および第３の発光領域が同様な青色光発光ダイオードまたは他のタイプの発光ダイオードを有してもよいことを理解すべきである。
【００４６】
また、なお、図４における各第１の発光領域、第２の発光領域および第３の発光領域は、いずれも１つだけの青色光発光ダイオード１４２を含むが、他の実施例において、各第１の発光領域、第２の発光領域および第３の発光領域は、いずれも複数の青色光発光ダイオード１４２を含んでもよいことを理解すべきである。
【００４７】
図５は、本発明の実施例に係る別のバックライトモジュールの構造模式図である。好ましくは、図５に示すように、各第１の発光領域、各第２の発光領域および各第３の発光領域は、いずれも少なくとも１つの紫色光発光ダイオード１５３を含み、第１の量子ドット領域１１３内の下層１４３に赤色光量子ドット１１５が塗布され、第２の量子ドット領域１２３内の下層１４３に緑色光量子ドット１２５が塗布され、第３の量子ドット領域１３３内の下層１４３に青色光量子ドット１３５が塗布されている。
【００４８】
紫色光発光ダイオード１５３は、紫色光を射出するために用いられ、青色光と比べて、紫色光のエネルギーがより高く、紫色光により赤色光および緑色光が励起される効率もより高い。そのため、紫色光発光ダイオード１５３を発光モジュール１０２の光源として用いることができる。その際に、青色光を得るために、第３の量子ドット領域１３３内に青色光量子ドット１３５を塗布する必要がある。
【００４９】
好ましくは、紫外線は、紫色光よりもより短い波長およびより高い励起光率を有するため、図５におけるバックライトモジュールの他の構造が変更しない場合、紫外線発光ダイオードで図５における紫色光発光ダイオードを代替してもよい。具体的には、紫外線発光ダイオードを有するバックライトモジュールの構造は、以下の通りである。各第１の発光領域、各第２の発光領域および各第３の発光領域は、いずれも少なくとも１つの紫外線発光ダイオードを含み、第１の量子ドット領域内の下層に赤色光量子ドットが塗布され、第２の量子ドット領域内の下層に緑色光量子ドットが塗布され、第３の量子ドット領域内の下層に青色光量子ドットが塗布されている。
【００５０】
以上のように、本実施例に係るバックライトモジュールは、青色光乃至紫外線範囲内の発光ダイオードを発光モジュールの光源として用いることができる。且つ、各第１の発光領域、各第２の発光領域および各第３の発光領域は、いずれも１つだけの発光ダイオードを含むか、または複数の発光ダイオードを含む。好ましくは、紫外線の波長が短すぎることを考えると、紫外線のエネルギーもより高い。紫外線が漏れることに起因して人体などを損害することを回避するために、紫外線発光ダイオードの発光波長は、３５０ｎｍ以上且つ４００ｎｍ以下（ここで４００ｎｍを紫色光と紫外線との境界線とする）であってもよい。
【００５１】
好ましくは、第１の量子ドット領域、第２の量子ドット領域および第３の量子ドット領域の形状およびサイズは、いずれも同じである。量子ドット層を形成すると、通常、マスクプレートを用いて、下層において第１の量子ドット領域、第２の量子ドット領域および第３の量子ドット領域を形成する。このような構造は、マスクプレートの設計および製造の難易度を簡素化にすることができる。なお、それは実行可能な実施例に過ぎず、他の実施例において、第１の量子ドット領域、第２の量子ドット領域および第３の量子ドット領域の形状および／またはサイズは、ニーズに応じて任意に設定されてもよい。
【００５２】
図６は、本発明の実施例に係る量子ドット領域の排列模式図である。好ましくは、図６に示すように、本実施例に係る量子ドット層は、複数のマトリックスで排列された第１の量子ドット領域１１３、第２の量子ドット領域１２３および第３の量子ドット領域１３３を含む。行方向Ｘに沿って、第１の量子ドット領域１１３、第２の量子ドット領域１２３および第３の量子ドット領域１３３は、交互排列されている。列方向Ｙに沿って、複数の第１の量子ドット領域１１３は順に排列されて第１の量子ドット領域列１１６を形成し、複数の第２の量子ドット領域１２３は順に排列されて第２の量子ドット領域列１２６を形成し、複数の第３の量子ドット領域１３３は順に排列されて第３の量子ドット領域列１３６を形成する。
【００５３】
図７は、図６における量子ドット領域に対応する発光ダイオードの構造模式図である。好ましくは、図６および図７に示すように、図７における発光ダイオード１７０の排列形態は、図６における量子ドット領域の排列形態と同じである。このように、第１の量子ドット領域１１３の基板１０１における垂直投影と、１つの発光ダイオード１７０の基板１０１における垂直投影とが少なくとも重畳領域を有し、第２の量子ドット領域１２３の基板１０１における垂直投影と、１つの発光ダイオード１７０の基板１０１における垂直投影とが少なくとも重畳領域を有し、および、第３の量子ドット領域１３３の基板１０１における垂直投影と、１つの発光ダイオード１７０の基板１０１における垂直投影とが少なくとも重畳領域を有することを確保することができる。また、発光ダイオード１７０は、青色光発光ダイオード、紫色光発光ダイオードまたは紫外線発光ダイオードなどであってもよい。
【００５４】
図８は、本発明の実施例に係る他の量子ドット領域の排列模式図である。好ましくは、図８に示すように、本実施例に係る量子ドット層は、複数のマトリックスで排列された第１の量子ドット領域１１３、第２の量子ドット領域１２３および第３の量子ドット領域１３３を含み、量子ドット層は、奇数行の量子ドット領域１１７および偶数行の量子ドット領域１２７を含む。各奇数行の量子ドット領域１１７は、順に交互排列された第１の量子ドット領域１１３、第３の量子ドット領域１３３および第２の量子ドット領域１２３を含む。各偶数行の量子ドット領域１２７は、順に交互排列された第２の量子ドット領域１２３、第１の量子ドット領域１１３および第３の量子ドット領域１３３を含む。列方向Ｙに沿って、奇数行の量子ドット領域１１７が互いに揃えられ、偶数行の量子ドット領域１２７が互いに揃えられる。行方向Ｘに沿って、隣り合う奇数行の量子ドット領域１１７と偶数行の量子ドット領域１２７とは、所定距離をずらしている。
【００５５】
なお、行方向Ｘに沿って、第１の量子ドット領域１１３の長さをＬとすると、ここでの所定距離は、１／２Ｌであってもよい。
【００５６】
図９は、図８における量子ドット領域に対応する発光ダイオードの構造模式図である。好ましくは、図８および図９に示すように、図９における発光ダイオード１７０の排列形態は、図８における量子ドット領域の排列形態と同じである。このように、第１の量子ドット領域１１３の基板１０１における垂直投影と、１つの発光ダイオード１７０の基板１０１における垂直投影とが少なくとも重畳領域を有し、第２の量子ドット領域１２３の基板１０１における垂直投影と、１つの発光ダイオード１７０の基板１０１における垂直投影とが少なくとも重畳領域を有し、および、第３の量子ドット領域１３３の基板１０１における垂直投影と、１つの発光ダイオード１７０の基板１０１における垂直投影とが少なくとも重畳領域を有することを確保することができる。
【００５７】
図１０は、本発明の実施例に係る別の量子ドット領域の排列模式図である。好ましくは、図１０に示すように、本実施例に係る量子ドット層は、複数のマトリックスで排列された第１の量子ドット領域１１３、第２の量子ドット領域１２３および第３の量子ドット領域１３３を含み、行方向Ｘに沿って、第２の量子ドット領域１２３、第３の量子ドット領域１３３および第１の量子ドット領域１１３が順に交互排列され、列方向Ｙに沿って、第２の量子ドット領域１２３、第１の量子ドット領域１１３および第３の量子ドット領域１３３が順に交互排列されている。
【００５８】
具体的には、図１０および図６における複数の第１の量子ドット領域１１３、第２の量子ドット領域１２３および第３の量子ドット領域１３３は、いずれも互いに揃えられるように排列されるため、図１０における発光ダイオードは、図７における発光ダイオードの排列形態を用いてもよい。
【００５９】
以上は、第１の量子ドット領域１１３、第２の量子ドット領域１２３および第３の量子ドット領域１３３の３種の可能な排列形態を例示的に示しているものに過ぎず、本実施例に係る量子ドット層における第１の量子ドット領域１１３、第２の量子ドット領域１２３および第３の量子ドット領域１３３の排列形態を限定するものではない。
【００６０】
なお、本実施例は、量子ドットを例としてバックライトモジュールの原理および構造について説明しているが、これは実行可能な実施例に過ぎないことを理解すべきである。実際適用において、第１の出光領域、第２の出光領域および第３の出光領域は、いずれも、ＫＳＦ赤色蛍光体またはペロブスカイトなどの他のタイプの材料を用いてもよいし、上述した複数種の材料の組み合わせを用いてもよい。本実施例において、それが具体的に限定されない。
【００６１】
図１１は、本発明の実施例に係る表示装置の構造模式図である。図１１に示すように、本実施例に係る表示装置は、バックライトモジュール２０１を含み、液晶表示パネル２０２をさらに含む。液晶表示パネル２０２は、バックライトモジュール２０１の出光層の一方側に位置する。液晶表示パネル２０２は、バックライト駆動モジュールとともに同様な画像情報を受信するように構成される表示駆動モジュールを含む。
【００６２】
表示駆動モジュールは、液晶表示パネル２０２を駆動して画像を表示させるために用いられ、バックライト駆動モジュールは、バックライトモジュールにおける発光モジュールを発光させるように駆動するように構成される。表示駆動モジュールとバックライト駆動モジュールは、表示しようとする画像情報を同時に受信した後、表示駆動モジュールは、画像情報に基づいて液晶表示パネル２０２を駆動して画像を表示させながら、バックライト駆動モジュールは、画像の明暗程度および顔色に合致するバックライトを提供するようにバックライトモジュールを駆動することができる。そのため、表示装置の解像度およびコントラストを向上させ、さらに表示効果を向上させながら、表示装置の消費電力を低減させることができる。
【００６３】
好ましくは、表示装置は、テレビ、コンピュータ、スマートフォンまたはタブレットなどであってもよい。
【００６４】
図１２は、本発明の実施例に係る表示装置の駆動方法のフローチャートである。図１２に示すように、当該駆動方法は、下記のステップを含む。
【００６５】
ステップ１０、バックライト駆動モジュールと表示駆動モジュールを制御しながら、予め表示された画像の画像情報を取得し、そのうち、画像情報は、予め表示された画像の輝度情報および色情報を含む。
【００６６】
具体的には、表示装置がコンピュータであると、コンピュータは、記憶された画像情報を同時にバックライト駆動モジュールおよび表示駆動モジュールに送信することができる。画像情報は、複数の画素点の位置座標、および各画素点の赤色光に対応するグレイスケール、緑色光に対応するグレイスケール、青色光に対応するグレイスケールであってもよい。各画素点のグレイスケールに基づき、予め表示された画像の輝度情報および色情報を確定することができる。画像を表示する前に、バックライト駆動モジュールおよび表示駆動モジュールに対して画像情報を同時に提供することにより、バックライト駆動モジュールおよび表示駆動モジュールが同期動作することを確保することができる。
【００６７】
ステップ２０、輝度情報に基づいてバックライトモジュールの異なる領域における輝度を制御するとともに、色情報に基づいてバックライトモジュールの異なる領域におけるバックライト顔色を調整するように、バックライト駆動モジュールを制御する。
【００６８】
具体的には、画像の輝度情報および色情報に基づき、バックライトモジュールの各領域におけるバックライト強度およびバックライト顔色を確定することができる。
【００６９】
ステップ３０、画像情報に基づいて液晶表示パネルを駆動して画像を表示させるように、表示駆動モジュールを制御する。
【００７０】
本実施例におけるステップ２０およびステップ３０が同時に行われるものであるため、それぞれ「ステップ２０」および「ステップ３０」と命名されることは、容易に説明するためのものに過ぎないが、ステップ２０がステップ３０の前であることを意味しないことを理解すべきである。表示駆動モジュールは、任意の既有の、または将来に現れる可能性がある駆動形態で、液晶表示パネルを駆動して動作させてもよい。ここで具体的に限定されていない。
【００７１】
本実施例に係る表示装置の駆動方法は、表示駆動モジュールおよびバックライト駆動モジュールに対して画像情報を同時に提供した後、液晶表示パネルが画像を表示しながら、バックライト駆動モジュールがバックライトモジュールを駆動して、明暗程度および顔色がそれぞれ液晶表示パネルにより表示している画像に合致するバックライトを提供することを確保することができるとともに、表示装置の解像度およびコントラストを向上させ、さらに表示効果を向上させることができる。
【００７２】
図１３は、一実施例に係る電子デバイスのハードウェアの構造模式図である。図１３に示すように、当該電子デバイスは、１つまたは複数のプロセッサ３１０およびメモリー３２０を含む。図１３において、１つのプロセッサ３１０を例とする。
【００７３】
前記電子デバイスは、入力装置３３０および出力装置３４０をさらに含んでもよい。
【００７４】
前記電子デバイスにおけるプロセッサ３１０、メモリー３２０、入力装置３３０および出力装置３４０は、バスまたは他の形態で接続されてもよい。図１３において、バス接続を例とする。
【００７５】
メモリー３２０は、コンピュータ可読記憶媒体として、ソフトウェアプログラム、コンピュータ実行可能プログラムおよびモジュールを記憶するように構成されてもよい。プロセッサ３１０は、メモリー３２０に記憶されたソフトウェアプログラム、コマンドおよびモジュールを実行することにより、複数種の機能的アプリケーションおよびデータ処理を実行して、上述した実施例におけるいずれか１つの方法を実現することができる。
【００７６】
メモリー３２０は、プログラム記憶領域およびデータ記憶領域を含んでもよい。そのうち、プログラム記憶領域は、操作システム、少なくとも１つの機能に必要とするアプリケーションプログラムを記憶してもよく、データ記憶領域は、電子デバイスの使用に応じて作成されたデータなどを記憶してもよい。また、メモリーは、ランダムアクセスメモリー（Ｒａｎｄｏｍ  Ａｃｃｅｓｓ  Ｍｅｍｏｒｙ、ＲＡＭ）などの揮発性メモリーを含んでもよいが、少なくとも１つの磁気ディスクメモリー、フラッシュメモリーまたは他の非一時的ソリッドステートメモリーなどの不揮発性メモリーをさらに含んでもよい。
【００７７】
メモリー３２０は、非一時的コンピュータ記憶媒体または一時的コンピュータ記憶媒体であってもよい。当該非一時的コンピュータ記憶媒体は、例えば少なくとも１つの磁気ディスクメモリー、フラッシュメモリー、または他の不揮発性ソリッドステートメモリーであってもよい。ある実施例において、メモリー３２０は、プロセッサ３１０に対して遠隔配置されたメモリーを含むことが好ましい。これらのリモートメモリーは、ネットワークによって電子デバイスに接続されてもよい。前記ネットワークのインスタンスは、インターネット、イントラネット、ローカルエリアネットワーク、モバイル通信ネットワーク、およびそれらの組み合わせを含んでもよい。
【００７８】
入力装置３３０は、入力されたデジタルまたは文字情報を受信し、電子デバイスのユーザ設定および機能制御に関連するキー信号の入力を生成するように構成される。出力装置３４０は、ディスプレイスクリーンなどの表示装置を含んでもよい。
【００７９】
本実施例によれば、上記方法を実行するためのコンピュータ実行可能コマンドが記憶されたコンピュータ可読記憶媒体が提供される。
【００８０】
上述した実施例の方法における一部または全部のフローは、コンピュータプログラムで関連するハードウェアを作動させることにより完成されてもよい。当該プログラムは、１つの非一時的コンピュータ可読記憶媒体に記憶されてもよい。当該プログラムは実行されると、上記方法実施例におけるフローを含んでもよい。そのうち、当該非一時的コンピュータ可読記憶媒体は、磁気ディスク、光ディスク、読み取り専用メモリー（Ｒｅａｄ−Ｏｎｌｙ  Ｍｅｍｏｒｙ、ＲＯＭ）またはＲＡＭなどであってもよい。
【図１】
2021516430.tif 000003
【図２】
2021516430.tif 000004
【図３】
2021516430.tif 000005
【図４】
2021516430.tif 000006
【図５】
2021516430.tif 000007
【図６】
2021516430.tif 000008
【図７】
2021516430.tif 000009
【図８】
2021516430.tif 000010
【図９】
2021516430.tif 000011
【図１０】
2021516430.tif 000012
【図１１】
2021516430.tif 000013
【図１２】
2021516430.tif 000014
【図１３】
2021516430.tif 000015
【国際調査報告】
2021516430.tif 000016
2021516430.tif 000017
2021516430.tif 000018
2021516430.tif 000019